(57)【要約】      （修正有）【課題】壁に沿って吊り下げるフック機能と起立機能とを有する額縁を提供する。【解決手段】二枚のフラットプレートに表示物を挟み、該フラットプレートの周縁をフレームで挟持してなる額縁のフラットプレート面又はフレーム面に複数のフック兼スタンド部材本体を、接着剤又はビス止めにて固定して、壁に沿って吊り下げるフック機能と起立機能とを有する。スタンド補助部材がフラットプレート面に対して傾斜して固定され、フラットプレートを載置面に対して傾斜して起立できる。【選択図】図１
0003171916.tif 000002
【実用新案登録請求の範囲】
【請求項１】
二枚のフラットプレートに表示物を挟み、該フラットプレートの周縁をフレームで挟持してなる額縁のフラットプレート面又はフレーム面に複数のフック兼スタンド部材本体を、接着剤又はビス止めにて固定して、壁に沿って吊り下げるフック機能と起立機能とを有するように構成したことを特徴とする額縁。
【請求項２】
スタンド補助部材がフラットプレート面に対して傾斜して固定され、フラットプレートを載置面に対して傾斜して起立できるように構成したことを特徴とする請求項１記載の額縁。
【考案の詳細な説明】
【技術分野】
【０００１】  本考案は額縁に関し、特に二枚のフラットプレートに表示物を挟み、該フラットプレートの周縁をフレームで挟持してなる額縁のフラットプレート面又はフレーム面に複数のフック兼スタンド部材本体を、接着剤又はビス止めにて固定して、壁に沿って吊り下げるフック機能と起立機能とを有するように構成した額縁に関する。
【背景技術】
【０００２】  従来、多くのフォトスタンドが考案されており、フォトスタンドのフレームや裏板にフォトスタンドを支える脚体等が固定されているものが提案されており、その一例として、特開２００４−１２１５５７号公報や登録実用新案第３０５９１０９号公報等が公開されている。
【先行技術文献】
【特許文献】
【０００３】
【特許文献１】  特開２００４−１２１５５７号公報
【特許文献２】  登録実用新案第３０５９１０９号公報
【考案の概要】
【考案が解決しようとする課題】
【０００４】  前記せる特開２００４−１２１５５７号公報では、フォトスタンド本体の両側にレール部材を取付け、該レール部材に脚体を組み付ける構造であるが、レール部材に組み付ける脚体の複雑な形状の嵌合板部を予め脚体に一体成型するものであって、組み付けに手間がかかるばかりでなく、レール部材がスタンド本体の両側に突出しているので、レール部材の取付けによって、フォトスタンド本体の意匠が異なる意匠になってしまうのでバランスの悪い外観となっていた。【０００５】  また前記せる登録実用新案第３０５９１０９号公報では、裏板にワンタッチでネクタイ足が取付けられるものであり、その裏座部を取付けるとき、金属製の止着部におけるバネ弾性によりフレーム内に固定するものであった。【０００６】  しかしながら、いずれの場合もフォトスタンドを起立させる構造であるが、吊り下げ機能を併用できるものではなかった。【０００７】  本考案の課題は額縁を好適に起立させると共に、壁に吊り下げるときにも併用することのできるフック兼スタンド部材本体を額縁のフラットプレート面又はフレーム面の二カ所に接着剤又はビス止めにて固定し、縦長又は横長のいずれの方向にも使用することのできる額縁を提供することである。
【課題を解決するための手段】
【０００８】  二枚のフラットプレートに表示物を挟み、該フラットプレートの周縁をフレームで挟持してなる額縁のフラットプレート面又はフレーム面に複数のフック兼スタンド部材本体を、接着剤又はビス止めにて固定して、壁に沿って吊り下げるフック機能と起立機能とを有するように構成したことを特徴とし、表示物を挟持する二枚のフラットプレートが透明アクリル等からなり、又は一枚のみが透明アクリル等からなり、スタンド補助部材がフラットプレート面に対して傾斜して固定され、フラットプレートを載置面に対して傾斜して起立できるように構成したことを特徴とする額縁を提供する。
【考案の効果】
【０００９】  本考案の額縁によれば、額縁を机上等に起立させるときに、縦長又は横長のいずれの方向にも容易に起立させることができると共に、額縁を壁等に吊り下げる場合にも兼用できるフック兼スタンド部材本体が額縁に固定されてあるので、表示物に適した用途や使用状態に応じて便利に使用できる効果がある。
【図面の簡単な説明】
【００１０】
【図１】額縁の背面図である。
【図２】額縁の背面図である。
【図３】フック兼スタンド部材の平面図である。
【図４】フック兼スタンド部材の正面図である。
【図５】フック兼スタンド部材の側面図である。
【図６】載置面で起立させた額縁の側面図である。
【図７】壁に吊り下げた額縁の側面図である。
【図８】スタンド補助部品の側面図である。
【図９】スタンド補助部品の正面図である。
【考案を実施するための形態】
【００１１】  以下、図面に基づいて、本考案を実施するための形態を具体的に説明する。
【００１２】  本考案の額縁は、図１、図２及び図６に示すように、二枚のフラットプレート３に表示物７を挟み、該フラットプレート３の周縁をフレーム２で挟持してなる額縁１のフラットプレート面又はフレーム面に複数のフック兼スタンド部材本体４を、接着剤又はビス止めにて固定して、壁９に沿って吊り下げるフック機能と起立機能とを有するように構成されている。
【００１３】  図１の場合では二枚のフラットプレート３に表示物７を挟んだ際に、表示物と額縁全体の意匠効果を変化させるために、二枚のフラットプレート３が双方とも透明であるので、表示物７の周縁に透明部３１が存在する。
【００１４】  図２の場合では、フレーム面に複数のフック兼スタンド部材本体４を、接着剤又はビス止めにて固定している。
【００１５】  本考案の額縁は、図７に示すように、額縁１を壁９等に吊り下げるフック機構を有し、また、図６に示すように、額縁１を机上等の載置面１０等に起立させることができる。
【００１６】  本考案の額縁に固定するフック兼スタンド部材本体４は、図３乃至図５に示すように、表面が傾斜した傾斜基部４１と、中央に開口したフック機能部４２と、補強部４４と、一方に雄ネジ５１を有する立設雄ネジ部５とが一体的に形成されている。
【００１７】  フック機能部４２には凹状部４３が形成されているが、壁９に取付けた場合のビス８等の当たりを良くするものである。
【００１８】  フック兼スタンド部材本体４をビス止めする場合は、ビス穴４６にビス４７を通してビス止めする。
【００１９】  図５に示すように、立設雄ネジ部５はフラットプレート３に対して傾斜して立設されている。
【００２０】  この立設雄ネジ部５にスタンド補助部材６を螺着するとき、図８に示すスタンド補助部材６の内側には図９に示すように雌ネジ６１が形成されており、容易に立設雄ネジ部５にスタンド補助部材６を螺着することができる。
【００２１】  立設雄ネジ部５にスタンド補助部材６を螺着して、図６に示すように机上等の載置面１０に額縁１を起立させることができる。
【産業上の利用可能性】
【００２２】  以上説明したように、本考案の額縁は、極めてシンプルな構造で、額縁を机上等の載置面に容易に起立させることができ、額縁を壁等に吊り下げる場合にも兼用できるフック兼スタンド部材本体が固定されているので、用途や使用状態に応じて便利に使用できる利用可能性がある。
【符号の説明】
【００２３】  １．額縁
２．フレーム
３．フラットプレート
３１．透明部
４．フック兼スタンド部材本体
４１．傾斜基部
４２．フック機能部
４３．凹状部
４４．補強部
４５．空隙部
４６．ビス穴
４７．ビス
５．立設雄ネジ部
５１．雄ネジ
６．スタンド補助部材
６１．雌ネジ
７．表示物
８．吊り下げ用ビス
９．壁
１０．載置面
【図１】
0003171916.tif 000003
【図２】
0003171916.tif 000004
【図３】
0003171916.tif 000005
【図４】
0003171916.tif 000006
【図５】
0003171916.tif 000007
【図６】
0003171916.tif 000008
【図７】
0003171916.tif 000009
【図８】
0003171916.tif 000010
【図９】
0003171916.tif 000011